(57)【特許請求の範囲】
【請求項１】
多数の玉を線状体で貫いて輪部を形成し、その輪部に、多数の垂らし用線状体からなる１つ以上の房を取り付けた房部を設けてなる数珠において、上記房の少なくともいずれかの内部に、数珠取得の縁由を記載した記載用部材を備え付けて収容し、その記載用部材を取り囲んでいる一部の垂らし用線状体を脇に寄せることによって、記載用部材を露出可能にすることを特徴とする記載用部材付き数珠。
【請求項２】
記載用部材の色を房を構成する線状体の色と同一又は同一系統の色にすることを特徴とする請求項１記載の記載用部材付き数珠。
【発明の詳細な説明】
【０００１】
【発明の属する技術分野】
本発明は仏具として使用する数珠に関する。
【０００２】
【従来の技術】
従来、仏事、法要を行なう際、手や首に掛けてもみ或いはつまぐる仏具として数珠が用いられている。この数珠は多数の玉を糸等の線状体で貫いて輪部を形成し、その輪部に１つ以上の房等を取り付けたものであり、その形状は宗派、使用目的によって一定しない。玉材も、木、木実、金属、真珠、水晶、珊瑚、プラスチック等が用いられ、玉数も１０８個が基本のようであるが、５４、３６、３０、２７、２５等種々のものがある。図３は手掛け用の数珠の一例として、３０個の玉１を糸２で貫いて輪部３を形成し、その輪部３に房４を２個取り付けて房部５を設けた数珠６を示している。
【０００３】
このような数珠６は法要、参拝記念等の記念品として贈られることが多い。その際には、通常図４に示すような桐箱７等に入れ、そこにのし紙８を掛けて贈呈の目的を例えば○○家三回忌と記載する。又、参拝記念の場合にはのし紙に大本山○○寺参拝記念等と記載する。なお、桐箱７の蓋上面には御念珠と記載するのが普通である。
【０００４】
【発明が解決しようとする課題】
しかしながら、このように数珠６の縁由等を記載したのし紙８は受領後に箱７から取り除いて捨てられてしまったり、そのまま箱７に掛けておいても、弱いため破れたりしていつしか消失してしまう。すると、数珠取得の記録が消え、受領の記憶も時間の経過と共に失われて行く。それ故、時間が経過すると、数珠が存在していてもそれが大事な記念品であるという数珠取得の縁由がわからなくなる。
【０００５】
本発明はこのような従来の問題点に着目してなされたものであり、数珠本来の使用と共に、数珠取得後の時間が大きく経過しても、数珠自体からその数珠取得に関する縁由を簡単に知ることのできる数珠を提供することを目的とする。
【０００６】
【課題を解決するための手段】
上記目的を達成するために、本発明による記載用部材付き数珠では、多数の玉を線状体で貫いて輪部を形成し、その輪部に、多数の垂らし用線状体からなる１つ以上の房を取り付けた房部を形成する。そして、上記房の少なくともいずれかの内部に、数珠取得の縁由を記載した記載用部材を備え付けて収容し、その記載用部材を取り囲んでいる一部の垂らし用線状体を脇に寄せることによって、記載用部材を露出可能にする。
又、記載用部材の色を房を構成する線状体の色と同一又は同一系統の色にすると好ましくなる。
【０００７】
【発明の実施の形態】
以下、添付の図１、２を参照して、本発明の実施の形態を説明する。
図１は本発明を適用した手掛け用数珠の平面図、図２はその手掛け用数珠の１房内に備え付けた記載用部材を露出させた状態を示す平面図である。この数珠９も輪部１０と房部１１とから構成する。そして、輪部１０を例えば従来通りに３０個の玉１２を糸１３で貫いて輪形にして構成する。その際、主玉１２を２７個使い、更に径の大きな親玉１２ａを１個と径の小さな二天玉１２（１２ｂ、１２ｃ）を用いて、その二天玉１２を親玉１２ａから数えて左右７番目の位置にそれぞれ配置する。因みに、主玉が２２個の場合は二天玉は親玉から数えて左右６番目の位置にそれぞれ配置する。
【０００８】
これ等の玉１２を貫く糸１３の両端部は、親玉１２ａの左右の両側から差し込み下側からまとめて引き出し、更にその親玉１２ａと連接する下側に配置したボサ１４を差し通して引き出す。そして、貫き糸１３のボサ１４より引き出した両端部に房１５（１５ａ、１５ｂ）をそれぞれ取り付けて房部１１を構成する。その際、各房１５の本体部を例えば従来通りに形成し、各房１５から８７本の垂らし用線状体例えば糸１６を垂らす場合、一定の長さを有する垂らし糸１６の一端部をまとめ、そこに壺状の覆い１７（１７ａ、１７ｂ）を被せ、更に各覆い１７の内部中央に各垂らし糸１６の抜け止め部材として芯棒１８（１８ａ、１８ｂ）をそれぞれ差し込む。すると、各芯棒１８の一端部を対応する覆い１７の内部に嵌め、その他端部を覆い１７から少し突出させて垂らし糸１６の束中心にそれぞれ収容できる。なお、各覆い１７にはそれぞれ上部中央に貫き糸１３を差し込む小孔があり、下部に８７本の垂らし糸１６の一端部と芯棒１８の一端部を差し込む開口がある。
【０００９】
更に、各房１５の本体部に対し、強度の大きな記載用部材として例えばフェルト、皮等からなる細長い長方形の札１９（１９ａ、１９ｂ）をそれぞれ備え付ける。そして、各札１９に前以って数珠９の縁由等を例えば○○家三回忌と記載しておき、その各上端部を対応する各芯棒１８の下端部にそれぞれ取り付ける。すると、各札１９を垂らし糸１６の束中心にそれぞれ収容できる。しかも、各札１９の色を一部だけでも、例えば縁部だけ垂らし糸１６の色と同一又は同一系統の色にすると、各札１９が多数の垂らし糸１６で取り囲まれて隠れるため、特に使用時には外部から各札１９の存在が目立たなくなる。なお、貫き糸１３や房部１５を構成する垂らし糸１６等には通常絹糸を用いる。
【００１０】
このような数珠９を記念品として従来通り桐箱に入れ、のし紙を掛けて贈呈する場合、受領後にのし紙を取り除いて捨て或いはのし紙が紛失しても、図２に示すように一方の房１５の札１９を取り囲んでいる垂らし糸１６の一部を脇に寄せると、札１９が露出する。それ故、数珠取得後の時間が大きく経過しても札１９の記載事項により数珠９の縁由等を簡単に知ることができる。
【００１１】
なお、上記実施の形態では房部１１に２個の房１５を取り付け、その各房１５の内部に札１９をそれぞれ備え付けた数珠９について説明したが、房部に取り付けた１つ以上の房のいずれか１つの内部のみに札、その他の記載用部材を備え付けてもよい。
【００１２】
【発明の効果】
以上説明した本発明によれば、請求項１記載の発明では、房の少なくともいずれかの内部に、数珠取得の縁由を記載した記載用部材を備え付けて収容し、その記載用部材を取り囲んでいる一部の垂らし用線状体を脇に寄せることによって、記載用部材を露出可能にすることにより、その記載用部材を取り囲んでいる一部の垂らし用線状体を脇に寄せると、記載用部材を簡単に露出できる。それ故、数珠本来の使用と共に、その数珠自体に備え付けた記載用部材の記載事項から数珠に関する縁由を簡単に知ることができる。しかも、その記載用部材に強度の大きな部材を使用することによって、数珠取得後の時間が大きく経過しても、記録が簡単に失われることがない。
【００１３】
又、請求項２記載の発明では記載用部材の色を房を構成する線状体の色と同一又は同一系統の色にすることにより、房の内部に記載用部材が備え付けられていても、使用中多数の垂らし糸で記載用部材を取り囲んで隠し、記載用部材の存在を目立たなくすることができる。
【図面の簡単な説明】
【図１】本発明を適用した手掛け用数珠の平面図である。
【図２】同手掛け用数珠の１房内に備え付けた札を露出させた状態を示す平面図である。
【図３】従来の手掛け用数珠の平面図である。
【図４】同手掛け用数珠の贈呈時に使用する箱の外面を示す斜視図である。
【符号の説明】
９…数珠  １０…輪郭  １１…房部  １２…玉  １３…貫き糸  １４…ボサ、１５…房  １６…垂らし糸  １７…覆い  １８…芯棒  １９…札
【図１】
0004626894.tif 000002
【図２】
0004626894.tif 000003
【図３】
0004626894.tif 000004
【図４】
0004626894.tif 000005